(57)【要約】【課題】軟弱野菜等に付着する難防除害虫も駆除できる害虫防除用捕集機を提供する。【解決手段】台車搭載あるいは背負式の送風発生手段２３と、送風発生手段２３に連結される送風管５と、送風管５の送風口５ａと隙間をあけて対向した開口６ａを備えた捕集網６と、捕集網６の開口６ａを所要断面積に保持するために開口の上下縁に沿って取り付ける上下パイプ１６Ａ、１６Ｂとを備え、送風管５および捕集網６を保持する上下パイプ１６Ａ、１６Ｂを台車２上に取り付け、下パイプ（茎葉接触部材）１６Ｂを野菜Ｙの上部茎葉に接触させながら台車２を走行させ、下パイプ１６Ｂとの接触で野菜に付いている害虫Ｍを飛翔させ、飛翔した害虫Ｍを送風口５ａからの送風で捕集網６の内部に追い込んで捕獲する。【選択図】　図２
2004000077.tif 000002
【特許請求の範囲】
【請求項１】
台車搭載あるいは背負式の送風発生手段と、
上記送風発生手段に連結される送風管と、
上記送風管の送風口と対向した開口を備えた袋状の捕集網とを備え、
上記送風口から植物に向けた送風で、該植物につく害虫を上記捕集網の内部に追い込んで捕獲する構成としていることを特徴とする害虫防除用捕集機。
【請求項２】
上記捕集網の開口前方には茎葉接触部材を備えており、該茎葉接触部材を野菜、茶、花等の植物の上部茎葉に接触させながら台車を走行させ、該茎葉接触部材との接触で野菜、茶、花等の植物に付いている害虫を飛翔させ、飛翔した害虫を上記送風口からの送風で捕集網の内部に追い込んで捕獲する構成としている請求項１に記載の害虫防除用捕集機
【請求項３】
上記捕集網は開口の上下縁に沿って上パイプと下パイプを備え、
上記上下パイプを上記捕集網の開口を保持した状態で台車上に取り付けると共に、上記下パイプを上記茎葉接触部材と兼用させ、上記下パイプを野菜、茶、花等の上記植物の上部茎葉に接触させながら台車を走行させる構成としている請求項１または請求項２に記載の害虫防除用捕集機。
【請求項４】
上記送風発生手段は動力付きブロアからなり、該ブロアに接続したフレキシブルダクトに、畝を横断するように延在させる分配管を接続し、該分配管に軸線方向に間隔をあけて上記送風管を並設し、該送風管の送風口から上記捕集網および上記植物に向けて送風をする構成としている請求項１乃至請求項３のいずれか１項に記載の害虫防除用捕集機。
【請求項５】
上記台車は畝を横断するフレームを設けて上記分配管を該フレームに角度調節可能に取り付け、かつ、該フレーム自体を伸縮自在に長さ調節可能とすると共に、フレームの両側を接地棒兼ガイド棒に高さ調節自在に連結してフレーム高さを調節可能な構成としている請求項４に記載の害虫防除用捕集機。
【請求項６】
上記送風発生手段で発生させる風速は１０ｍ／ｓｅｃ以上で、該風速は調節可能とし、かつ、上記捕集網は０．５ｍｍ以下の間隔としたメッシュからなる請求項１乃至請求項５のいずれか１項に記載の害虫防除用捕集機。
【請求項７】
上記台車は畝を横断するフレームの両側に車輪を設けていると共に、フレームの一端側に操作用のハンドルを立設しており、
上記捕集網を開口が前方に向くように上記フレームの後側に取り付ける一方、上記送風管を送風口が後方、つまり、上記捕集網の開口を向くように上記フレームの前側に設けている請求項１乃至請求項６のいずれか１項に記載の害虫防除用捕集機。
【発明の詳細な説明】
【０００１】
【発明の属する技術分野】本発明は害虫防除用補集機に関し、詳しくは、野菜等の植物に付着する害虫を補集網を用いる物理的方法により、植物を痛めることなく、大量に捕獲駆除するものである。
【０００２】
【従来の技術】
従来、野菜の害虫防除方法として、各種農薬からなる殺虫剤を使用するのが一般的である。
しかしながら、野菜の種類によっては付着する害虫に対して有効な農薬が少ない場合があると共に、マメハモグリバエ、コナガ等の薬剤抵抗性のある難防除害虫に対しては農薬による殺虫効果が低い。また、近時、消費者の安全・健康志向から残留農薬が問題となり、無農薬・減農薬栽培に対する要望が強くなってきている。
【０００３】
農薬を用いずに害虫を駆除する方法としては、天敵による駆除や交尾阻害剤（フェロモン剤）を使用する方法等があるが、これらを単独で用いても防除効果が農薬と比較して低く、農薬と併用せざるを得ない問題がある。
【０００４】
上記した問題より、近時、薬剤を用いず、掃除機の原理を利用し、害虫を吸引して物理的方法により捕獲・駆除する害虫吸引捕集装置が提供されている。
【０００５】
【発明が解決しようとする課題】
しかしながら、上記害虫吸引捕集装置では吸引に大きな動力が必要となり、そのため装置は重量が大きく、大型化している。そのため、野菜を栽培しているハウス内での取り回し、圃場移動が容易に行なえず、また、その取り回しの悪さから上記装置が野菜に接触したり踏んでしまったりして野菜を傷める問題がある。また、処理高さの調節機構や、処理幅の調節機構が付設されていないため、野菜の種類に対応させることができない問題もある。
さらに、上記吸引捕集装置は高価であるため、一般農家にとっては実用的なものではない。
【０００６】
また、上記吸引捕集装置は、飛翔している害虫の捕獲には有効であるが、野菜に付着して野菜から飛び立たない害虫に対しては余り有効でない。
マメハモグリバエ、コガナ等の害虫は、接触により成虫が飛翔するが、吸引のみでは、これら害虫を捕集しにくい。野菜を叩くと上記害虫は野菜から飛翔して捕集しやすくなるが、これらの害虫が付着しやすいシュンギク、コマツナ、チンゲンサイ等の軟弱野菜では、野菜を叩くと、野菜を痛める問題が生じる。
このように、野菜、特に、軟弱野菜に付着する害虫の駆除を有効に行える方法は未だ提供されていない。
【０００７】
本発明は上記した問題に鑑みてなされたもので、農薬に代えて物理的方法により、農薬と同等な害虫防除機能を有し、特に、軟弱野菜に付着するマメハモグリバエ、コガナ等の難防除害虫も駆除できると共に軟弱野菜を痛めない害虫防除用捕集機を提供することを課題としている。
【０００８】
【課題を解決するための手段】
上記課題を解決するため、本発明は、台車搭載あるいは背負式の送風発生手段と、
上記送風発生手段に連結される送風管と、
上記送風管の送風口と対向した開口を備えた袋状の捕集網とを備え、
上記送風口から植物に向けた送風で、該植物につく害虫を上記捕集網の内部に追い込んで捕獲する構成としていることを特徴とする害虫防除用捕集機を提供している。
【０００９】
上記捕集網の開口前方には茎葉接触部材を備えており、該茎葉接触部材を野菜、茶、花等の上記植物の上部茎葉に接触させながら台車を走行させ、該茎葉接触部材との接触で野菜、茶、花等の植物に付いている害虫を飛翔させ、飛翔した害虫を上記送風口からの送風で捕集網の内部に追い込んで捕獲する構成としている。
なお、シュンギク、コマツナ、チンゲンサイ等の難防除害虫がつきやすい軟弱野菜に対しては特に有効である。
【００１０】
また、上記捕集網は開口の上下縁に沿って上パイプと下パイプを備え、
上記上下パイプを上記捕集網の開口を保持した状態で台車上に取り付けると共に、上記下パイプを上記茎葉接触部材と兼用させ、上記下パイプを野菜、茶、花等の上記植物の上部茎葉に接触させながら台車を走行させる構成としている。
【００１１】
上記構成からなる本発明の害虫防除用捕集機では、軟弱野菜等に送風を与えて野菜の回りを飛んでいる害虫や野菜に付着した害虫を捕集網に追い込むと同時に、捕集網の下パイプを茎葉接触棒として、野菜の上部の茎や葉に軽い接触を与えることで、野菜に付着している害虫を強制的に飛翔させ、この飛翔した害虫を送風により捕集網に追い込んで捕獲駆除している。また、捕集網内に追い込まれた後は、該捕集網に向かって送風が送られ続けているために害虫は捕集網から容易に逃げ出すことができない。また、捕集網内に害虫を捕獲しているだけであるため、吸引装置内に害虫を吸引捕獲する場合に生じやすい目詰まり等もなく、メンテナンスフリーとなる。
【００１２】
このように、従来の掃除機の原理を利用した吸引捕集装置のように単に飛翔している害虫を捕集装置内に吸引しているだけでなく、野菜に付着している害虫を野菜から飛翔させ、送風で捕集網に追い込んで駆除しているため、害虫駆除率を非常に高くすることができる。よって、本発明の害虫防除用捕集機を用いることにより、農薬を用いずに、あるいは農薬使用量を減少して、無農薬野菜あるいは減農薬野菜を生産することができる。
【００１３】
上記捕集網の開口と送風口との間に設ける隙間は、野菜の回りに飛んでいる害虫および野菜に付いていて野菜から飛びたつ害虫を捕集網に追い込める程度の隙間としており、送風の風力との関係にも対応するが、１００ｍｍ〜２００ｍｍ、好ましくは１２０ｍｍ〜１５０ｍｍとしている。
上記送風発生手段で発生させる風速は１０ｍ／ｓｅｃ以上とすると、害虫を捕集網に追い込むことができる。この風速を発生させる上記送風発生手段として動力付きブロアが好適に用いられる。該送風発生手段は作業員が手押しする台車に搭載してもよいし、作業員が背負うようにしてもよい。
このように、従来の吸引に代えて送風を利用していることで、装置が小型軽量化され、取り回しや圃場の移動等が容易となり、植物を傷めずに操作することが可能となる。
【００１４】
上記ブロアに接続したフレキシブルダクトに、畝を横断するように延在させる分配管を接続し、該分配管に軸線方向に間隔をあけて上記送風管を並設し、該送風管の送風口から上記捕集網および野菜に向けて送風を送る構成としている。
上記フレキシブルダクトはブロアおよび分配管に着脱自在に連結できるようにしている。
なお、上記フレキシブルダクトに送風口を備えた送風管を順次着脱自在に連結して分配管を無くしてもよい。さらに、各送風口に送風を拡げるための噴射ノズルや拡散板を取り付けてもよい。
さらに、上記畝を横断するように延在させる分配管に間隔をあけてスリット状の噴射用開口を設けて送風口とし、分配管自体を送風管としてもよい。
【００１５】
上記台車は畝を横断するフレームを設けて上記分配管を該フレームに角度調節可能に取り付け、かつ、該フレーム自体を伸縮自在に長さ調節可能とすると共に、フレームの両側を接地棒兼ガイド棒に高さ調節自在に連結してフレーム高さを調節可能な構成としている。
【００１６】
上記のように、分配管を角度調節可能に取り付けると共に、フレームの高さ調節を可能とすると、野菜の高さに対応した高さで、かつ、所要の送風方向とすることができる。さらに、フレーム自体を分割管としてスライドさせて長さ調節可能とすると、野菜が栽培されている圃場の畝の状態に応じて、１．５ｍ〜３．５ｍの広い範囲内での害虫防除処理幅の調節が可能となり、非常に使い勝手の良いものとなる。
【００１７】
上記台車は畝を横断するフレームの両側に車輪を設けていると共に、フレームの一端側に操作用のハンドルを立設しており、
上記捕集網を開口が前方に向くように上記フレームの後側に取り付ける一方、上記送風管を送風口が後方、つまり、上記捕集網の開口を向くように上記フレームの前側に設けている。
【００１８】
上記構成とすると、上記捕集機の両側を２人の作業員で持ち上げて作業しなくても、上記両側の車輪を複数の畝を跨いで畝の谷間に配置し、一人の作業員が上記台車操縦用のハンドルを持って走行するだけで、台車に取り付けた左右の車輪により圃場内を楽に移動できる。上記捕集網が上記フレーム後方において複数の畝を横断した状態で害虫の捕集作業を簡単に行うことができる。また、上記フレームやハンドルはアルミ等の軽量素材で形成するとなお好適である。
さらに、上記接地棒兼ガイド棒の下端部をスタンドとして利用することで、不使用時には作業者がハンドルから手を離しても上記各車輪及び接地棒兼ガイド棒により安定して停車させておくことができる。
【００１９】
また、上記フレームの所要位置に取付金具を取り付けると共に、上記フレームの両側に取付ピンを設けた網取付枠を立設し、上記捕集網の上記上パイプを該取付金具に取り付けると共に、上記下パイプの両端開口を上記網取付枠の該取付ピンに差し込んで取り付けている。
このように、上記下パイプを保持する上記網取付枠は上記フレームの両側にあるため、上記捕集網の開口を横断することがなく、また、上記捕集網の脱着を容易に行うことができる。
【００２０】
上記捕集網は０．５ｍｍ以下の間隔としたメッシュからなる形成し、捕集網に追い込んだ小さい害虫が網目から逃げないようにしている。
【００２１】
茎葉接触棒となる上記下パイプをクッション材で被覆していることが好ましい。
この茎葉接触棒となる下パイプは台車の走行に応じて、野菜の茎葉に接触しながら移動するため、茎葉に付いている害虫を飛びたたせることができ、害虫の捕獲駆除率を大幅にアップすることができる。しかしながら、強く野菜を叩くように接触すると野菜を痛めるため、ゴム等からなるクッション材を茎葉接触棒に被せておき、接触により野菜に痛みが発生しないようにしている。
【００２２】
上記台車のフレームの一側にハンドルを設け、上記フレームに固定されたワイヤーを該ハンドル側より引き上げて該ハンドル側と反対側の車輪を持ち上げて、該ハンドル側の車輪を支点として台車を旋回できる構成としている。
このように、簡単な旋回機構を設けているため、畝の一端に達すると、ハンドル側で上記ワイヤーの引っ張り操作だけで、ハンドル側の車輪を支点として、送風管および捕集網の向きを１８０度変えて、隣接する横の畝を横断するように旋回させることができる。
なお、上記ワイヤーは上記ハンドルと反対側のフレーム端部に取り付けてもよいが、畝を横断するフレームの中央付近に取り付けた方が、ワイヤーの傾斜角度が大きくなるため引っ張り上げ易くなる。
【００２３】
【発明の実施の形態】
以下、本発明の害虫防除用捕集機の実施形態を図面を参照して説明する。
第１実施形態の害虫防除用捕集機１は、図１に示すように、背負式の送風発生手段２３に、台車２に搭載した分配管３をフレキシブルダクト４を介して接続し、分配管３に軸線方向に沿って間隔をあけて送風管５を取り付け、該送風管５の送風口５ａと対向させると共に隙間をあけて袋状の捕集網６を台車２に搭載した構成からなる。
【００２４】
上記台車２は水平方向に延在させるアルミ製のフレーム７の左右両端に、Ｌ形状の接地棒兼ガイド８をボルト９で取り付け、該接地棒兼ガイド棒８に連結軸８ｃを介して左右一対の車輪１０を回転自在に取り付けている。
図３（Ｃ）に示すように、上記接地棒兼ガイド棒８の水平枠８ａは接地部となり、垂直枠８ｂにはフレーム７と接続されたスライド筒７ｄを外嵌し、ボルト９を加締めて連結することにより、フレーム７の高さを調整できるようにしている。
また、図６に示すように、上記フレーム７は２つの角筒７ａ、７ｂをスライド可能に連結して調整ボルト１３で加締めて位置決めする構成としている。
【００２５】
上記フレーム７には、その長さ方向に沿って分配管３を取付金具１１、１２を介して取り付け、該分配管３の一端を上記フレキシブルダクト４に接続すると共に、他端は閉鎖している。なお、分配管３はフレキシブルダクト４との接続端３ｄから先端側の閉鎖端３ｃにかけて縮径するテーパー形状としている。
閉鎖端３ｃ側の取付金具１２は、フック形状として分配管３を下方より受け止めている。接続端３ｄ側の２つの取付金具１１は、図７（Ａ）（Ｂ）に示すように、フレーム取付部１１ｂから円周状の分配管取付部１１ａを突出させており、分配管３を分配管取付部１１ａに内嵌してネジ２１で締め付けることにより保持している。よって、分配管取付部１１ａ内で分配管３を回転させることで、フレーム７に対する角度を調整することができる。
【００２６】
図８（Ａ）に示すように、上記分配管３には長さ方向に間隔をあけて送風管５を設けており、送風管５の送風口５ａを下方に向けている。
上記分配管３の第１の変形例としては、図８（Ｂ）に示すように、送風管５の下方に拡散板１７を取り付けて、送風管５より噴出された空気を拡散板１７に当てて横方向に拡散させて送風するものが考えられる。
第２の変形例としては、図８（Ｃ）に示すように、延在する分配管３’に間隔をあけてスリット状の噴射用開口３ｄ’を設けて送風口とし、分配管３’自体を送風管としてもよい。
第３の変形例としては、図８（Ｄ）に示すように、分配管３”の長さ方向に間隔をあけて外周にネジ山３ｄ”−１を有する円筒部３ｄ”を突出させており、円錐型の拡径ノズル１８を円筒部３ｄ”に螺着することで、送風管とすると共に大径開口を送風口１８ａとしてもよい。
【００２７】
上記捕集網６は０．５ｍｍ以下の間隔としてオーガンジー製のメッシュより形成し、図４に示すように、その開口部６ａの上下両側にパイプ通し６ｂを取り付け、上下パイプ１６ａ、１６Ｂを通して開口保持枠としている。なお、図４（Ｃ）に示すように、下パイプ１６Ｂにはゴム筒やスポンジ筒等からなるクッション材を被覆してもよい。
また、図３（Ａ）に示すように、フレーム７の所要位置にフック状の取付金具１４を取り付けると共に、フレーム７の両側に取付ピン１５ａを設けたＬ字形状の網取付枠１５を取り付け、図３（Ｂ）に示すように、捕集網６の上パイプ１６Ａを取付金具１４により下方より保持すると共に、下パイプ１６Ｂの両端開口１６Ｂ−１を網取付枠１５の取付ピン１５ａに差し込んで取り付けている。
このように、下パイプ１６Ｂを保持する網取付枠１５はフレーム７の両側にあるため、捕集網６の開口６ａを横断することがなく、また、捕集網６の脱着も容易に行うことができる。
【００２８】
図４（Ａ）に示すように、捕集網６の開口部６ａは送風管５の送風口５ａとの間の寸法Ｌは１００ｍｍ〜２００ｍｍ、好ましくは１２０ｍｍ〜１５０ｍｍとし、本実施形態では１３０ｍｍをあけて対向させており、送風口５ａは捕集網６の開口部６ａの下部に向けて送風を送る位置関係としている。、
【００２９】
また、フレーム７の一側部より後方へ突出した２本の支持棒２０ｂと、該支持棒２０ｂの上端を横断して側方へ延在させた握手部２０ａを有する台車操縦用のハンドル２０を取り付けている。
上記背負い式の送風発生手段２３としては、原動機付きのブロア３０を用い、該ブロア３０を肩掛け保持具３１上に取り付けている。ブロア３０から発生させる風速は１０ｍ／ｓｅｃ以上としており、かつ、風速は調節可能としている。
【００３０】
次に、害虫防除用捕集機１の使用方法について説明する。
図２および図５に示すように、捕集機１を両側の車輪１０が複数の畝Ｕを跨ぐように配置し、作業者Ｈはフレキシブルダクト４に接続した送風発生手段２３を背負うと共にハンドル２０の握手部２０ａを持って、接地棒兼ガイド棒８の水平枠８ａを地面より浮かせた状態で手押しする。
【００３１】
こうすると、図４（Ａ）（Ｂ）に示すように、送風管５の送風口５ａから噴出する送風が野菜Ｙの回りを飛んでいる害虫Ｍを捕集網６の開口６ａから網内部に追い込むと同時に、捕集網６の下パイプ１６Ｂを茎葉接触棒として、野菜Ｙの上部の茎や葉に軽く接触して野菜Ｙに付着している害虫Ｍを強制的に飛翔させ、この飛翔した害虫Ｍを送風により捕集網６に追い込んで捕獲駆除している。また、捕集網６内に追い込まれた後は、捕集網６に向かって送風が送られ続けているために害虫Ｍは捕集網６から容易に逃げ出すことができない。また、捕集網６内に害虫Ｍを捕獲しているだけであるため、吸引装置内に害虫を吸引捕獲する場合に生じやすい目詰まり等もなく、メンテナンスフリーとなる。
なお、この茎葉接触棒となる下パイプ１６Ｂにはゴム等からなるクッション材を被せておくと、接触により野菜に痛みが発生しにくくなり好適である。
【００３２】
また、分配管３は閉鎖端３ｃにかけて縮径するテーパー形状とすることで、即ち、送風圧の強いフレキシブルダクト４との接続端３ｄ側で流路面積を大とし、送風圧の弱まる閉鎖端３ｃ側では流路面積を小とすることで、分配管３の全長に亙って送風管５の送風口５ａから送風される送風圧を均一に保つことができる。
【００３３】
また、分配管３は、図７に示すようにフレーム７に角度調節可能に取り付けられており、かつ、フレーム７は、図３（Ｃ）に示すように高さ調節を可能としているので、野菜Ｙの高さに対応した高さで、かつ、所要の送風方向とすることができる。
さらに、図６に示すように、フレーム７および分配管３をスライドさせて長さ調節可能としているので、野菜Ｙが栽培されている圃場の畝Ｕの状態に応じて、１．５ｍ〜３．５ｍの広い範囲内での害虫防除処理幅の調節が可能となる。
また、捕集網６は０．５ｍｍ以下の間隔のメッシュからなるため、捕集網６に追い込んだ小さい害虫Ｍも網目から逃げることがない。
【００３４】
上記の害虫捕獲作業の終了後は、台車２を後方に倒して接地棒兼ガイド棒８の水平枠８ａをスタンドとして地面に停車させる。その状態で、上パイプ１６Ａを取付金具１４から取り外すと共に、下パイプ１６Ｂを網取付枠１５の取付ピン１５ａから抜き取り、上パイプ１６Ａと下パイプ１６Ｂを重ね合わせて捕集網６の開口６ａを閉じて持ち運び、天日に干して害虫Ｍを死滅させる。
【００３５】
図９は第２実施形態を示す。
本実施形態の害虫防除用捕集機１’は、フレーム７’の上面中央にワイヤー取付部７ａ’を設けて、ワイヤー１９の一端１９ａを該ワイヤー取付部７ａ’に取り付けており、ワイヤー１９の他端を取手部１９ｂとしている。
【００３６】
上記構成とすると、上述の害虫捕獲作業時に、畝の終端まで到達した際に、ハンドル２０側でワイヤー１９の取手部１９ｂを引っ張り上げることにより、ハンドル２０側の車輪１０を支点Ｃとして、捕集機１’全体を隣接する横の畝を横断するように旋回させることができ、送風管５および捕集網６の向きを１８０度逆転させることができる。
なお、ワイヤー１９の一端はハンドル２０と反対側の端部に取り付けてもよいが、フレーム７’の中央付近に取り付けた方が、ワイヤー１９の傾斜角度θが大きくなるため引っ張り上げ易くなる。
他の構成は第１実施形態と同様であるため説明を省略する。
【００３７】
図１０は第３実施形態を示す。
本実施形態の害虫防除用捕集機１”は、送風発生手段２３’を背負式に代えて台車搭載式としたものである。
【００３８】
フレーム７にブロア設置部３１’を取り付けて、該ブロア設置部３１’にブロア３０’を搭載し、フレキシブルダクト４’によりブロア３０’と分配管３とを連結している。
上記構成とすると、ブロア３０’を背負わないでよいため作業者の負担を軽減することができると共に、ブロア３０’と分配管３との距離が近くなるため、フレキシブルダクト４’の長さを大幅に短縮化することが可能となる。
なお、他の構成は第１実施形態と同様であるため説明を省略する。
【００３９】
【発明の効果】
以上の説明より明らかなように、本発明の害虫防除用捕集機によれば、野菜に送風を与えて野菜の回りを飛んでいる害虫を捕集網に追い込んで捕獲することができ、かつ、従来の吸引による捕獲方法に比べて装置が大型化しないため取り回しが容易であり、植物を傷めずに操作できる等の利点がある。
また、上記茎葉接触部材を上記捕集網の前方に設けて野菜の上部の茎や葉に軽い接触を与えることで、野菜に付着している害虫を飛翔させ、この飛翔した害虫を送風により捕集網に追い込んで捕獲することができる。即ち、従来の吸引による捕獲方法では飛び立たず捕獲できないような害虫でも、強制的に飛翔させて捕獲することができる。
さらに、捕獲後は、捕集網に向かって送風が続けているために害虫は捕集網から容易に逃げ出すことができない。
【００４０】
よって、農薬を用いずにあるいは農薬使用量を減少して、難防除害虫を捕獲し、無農薬野菜あるいは減農薬野菜を生産することができ、かつ、吸引装置内に害虫を吸引捕獲する場合に生じやすい目詰まり等もなく、メンテナンスフリーとできる。
なお、上記捕集網の上下縁を保持する上下パイプのうちの下パイプを上記茎葉接触部材として兼用すれば、部品点数削減の点からも好適であり、また、
下パイプをクッション材で被覆すれば、接触により野菜に痛みが発生することも防止できる。
【００４１】
また、上記分配管を角度調節可能とし、上記フレームの高さ調節を可能とすると、野菜の高さに対応した高さで、かつ、所要の送風方向とすることができる。さらに、フレーム自体を分割管としてスライドさせて長さ調節可能とすると、野菜が栽培されている圃場の畝の状態に応じて、１．５ｍ〜３．５ｍの広い範囲内での害虫防除処理幅の調節が可能となる。
【図面の簡単な説明】
【図１】本発明の第１実施形態の害虫防除用捕集機の斜視図である。
【図２】害虫防除用捕集機の使用状況を示す側面図である。
【図３】（Ａ）は捕集網の取付前の要部斜視図、（Ｂ）は捕集網の取付後の要部斜視図、（Ｃ）はフレームを上昇させた状態の要部斜視図である。
【図４】（Ａ）（Ｂ）は害虫の捕獲を説明する図面、（Ｃ）は下パイプの拡大断面図である。
【図５】害虫防除用捕集機の使用状況を示す正面図である。
【図６】フレームの伸縮機構を説明する要部斜視図である。
【図７】（Ａ）（Ｂ）はフレームと分配管の接続を示す断面図である。
【図８】（Ａ）は分配管の要部斜視図、（Ｂ）は第１変形例の要部斜視図、（Ｃ）は第２変形例の要部斜視図、（Ｄ）は第３変形例の要部斜視図である。
【図９】第２実施形態の害虫防除用捕集機の正面図である。
【図１０】第３実施形態の害虫防除用捕集機の側面図である。
【符号の説明】
１　　　　　　　　害虫防除用捕集機
２　　　　　　　　台車
３　　　　　　　　分配管
４　　　　　　　　フレキシブルダクト
５　　　　　　　　送風管
５ａ　　　　　　　送風口
６　　　　　　　　捕集網
７　　　　　　　　フレーム
７ｄ　　　　　　　スライド筒
８　　　　　　　　接地棒兼ガイド棒
８ａ　　　　　　　水平枠
１０　　　　　　　車輪
１１、１２、１４　取付金具
１５　　　　　　　網取付枠
１５ａ　　　　　　取付ピン
１６Ａ　　　　　　上パイプ
１６Ｂ　　　　　　下パイプ（茎葉接触部材）
１９　　　　　　　ワイヤー
２０　　　　　　　ハンドル
２２　　　　　　　クッション材
２３　　　　　　　送風発生手段
３０　　　　　　　ブロア
【図１】
2004000077.tif 000003
【図２】
2004000077.tif 000004
【図３】
2004000077.tif 000005
【図４】
2004000077.tif 000006
【図５】
2004000077.tif 000007
【図６】
2004000077.tif 000008
【図７】
2004000077.tif 000009
【図８】
2004000077.tif 000010
【図９】
2004000077.tif 000011
【図１０】
2004000077.tif 000012